(57)【要約】【課題】  結婚式および葬儀等の式典の際に再生される静止画像データや動画像データ等のマルチメディアデータを、式典の参列者にとって意味のある順序にて再生する。【解決手段】  各種識別情報とマルチメディアデータとを対応づけて記憶部１４に記憶する。披露宴会場のテーブルにはテーブルに対応する識別情報を記憶したＩＣチップ３４を埋め込んだろうそく３２を設置する。新郎新婦がＩＣチップリーダ１０が設けられたライター３０を用いてろうそく３２に点火すると、ＩＣチップリーダ１０がＩＣチップ３４から識別情報を読み取り、識別情報を通信部１２を介して再生制御部２２に入力する。再生制御部２２は識別情報に対応するマルチメディアデータを記憶部１４から読み出し、再生部２４において再生する。【選択図】          図１
2005269370.tif 000002
【特許請求の範囲】
【請求項１】
自身を識別する識別情報を記憶した記憶手段および該記憶手段に記憶された識別情報を送信する通信手段を有するＩＣチップの前記通信手段と通信を行い、前記記憶手段に記憶された識別情報を取得する識別情報取得手段と、
複数のマルチメディアデータを各種識別情報と対応づけて記憶したデータ記憶手段と、
前記マルチメディアデータを再生する少なくとも１つの再生手段と、
前記識別情報取得手段が取得した識別情報と対応づけられたマルチメディアデータを前記データ記憶手段から読み出して前記再生手段に再生する再生制御手段とを備えたことを特徴とする式典用データ再生装置。
【請求項２】
前記データ記憶手段は、前記複数のマルチメディアデータと前記各種識別情報とを対応づけたデータベースを記憶してなることを特徴とする請求項１記載の式典用データ再生装置。
【請求項３】
前記マルチメディアデータが、葬儀または法要用のマルチメディアデータであることを特徴とする請求項１または２記載の式典用データ再生装置。
【請求項４】
前記識別情報取得手段は、献物に設けられたＩＣチップから前記識別情報を取得する手段であることを特徴とする請求項３記載の式典用データ再生装置。
【請求項５】
前記マルチメディアデータが、結婚式用のマルチメディアデータであることを特徴とする請求項１または２記載の式典用データ再生装置。
【請求項６】
前記識別情報取得手段は、新郎新婦の携帯物に設けられてなり、披露宴会場内の各テーブルまたはテーブル上の設置物に設置されたＩＣチップもしくはテーブルに着席している参列者が所持するＩＣチップから前記識別情報を取得する手段であることを特徴とする請求項５記載の式典用データ再生装置。
【請求項７】
自身を識別する識別情報を記憶した記憶手段および該記憶手段に記憶された識別情報を送信する通信手段を有するＩＣチップが設けられてなることを特徴とする式典用献物。
【請求項８】
献花、献花の飾り、線香およびろうそくのいずれかであることを特徴とする請求項７記載の式典用献物。
【請求項９】
自身を識別する識別情報を記憶した記憶手段および該記憶手段に記憶された識別情報を送信する通信手段を有するＩＣチップの前記通信手段と通信を行い、前記記憶手段に記憶された識別情報を取得し、
複数のマルチメディアデータを各種識別情報と対応づけて記憶したデータ記憶手段から、前記識別情報取得手段が取得した識別情報と対応づけられたマルチメディアデータを読み出して再生することを特徴とする式典用データ再生方法。
【請求項１０】
自身を識別する識別情報を記憶した記憶手段および該記憶手段に記憶された識別情報を送信する通信手段を有するＩＣチップの前記通信手段と通信を行い、前記記憶手段に記憶された識別情報を取得する手順と、
複数のマルチメディアデータを各種識別情報と対応づけて記憶したデータ記憶手段から、前記識別情報取得手段が取得した識別情報と対応づけられたマルチメディアデータを読み出して再生する手順とを有することを特徴とする式典用データ再生方法をコンピュータに実行させるためのプログラム。
【発明の詳細な説明】
【技術分野】
【０００１】
本発明は、結婚式、葬儀、および法要等の式典において、画像データや音声データ等のマルチメディアデータを再生する式典用データ再生装置および方法並びに式典用データ再生方法をコンピュータに実行させるためのプログラムに関するものである。
【背景技術】
【０００２】
結婚式、表彰式、祝賀会、葬儀、通夜、法要、お別れ会、および故人をしのぶ会等の式典において、式典の関係者の画像（静止画像および動画像を含む）や音声を再生して、式典の演出効果を高めることが行われている。例えば、葬儀や法要において、祭壇にスクリーンを設置し、ここに故人の遺影を表示するとともに、弔辞の際には故人の遺影および故人の生前の活動を撮影した動画像やスライド画像を切り替えて表示するようにしたシステムが提案されている（特許文献１参照）。また、故人の遺影の画像データを複数用意しておき、これら複数の画像データを切り替えて表示するようにしたシステムも提案されている（特許文献２参照）。
【特許文献１】特開第２９１２５９７号公報
【特許文献２】特開第３３２３８６１号公報
【発明の開示】
【発明が解決しようとする課題】
【０００３】
ところで、上述したシステムにおいて再生されるスライド等の静止画像や動画像は、式典の主催者があらかじめ決定した順序にて再生されるものであるため、その順序は参列者にとって何ら意味はなく、その結果、式典中に再生される画像が式典に対する演出効果に欠けるものとなっている。
【０００４】
本発明は上記事情に鑑みなされたものであり、式典の際に再生される静止画像データや動画像データ、さらには音声データ等のマルチメディアデータを、式典の参列者にとって意味のある順序にて再生することを目的とする。
【課題を解決するための手段】
【０００５】
本発明による式典用データ再生装置は、自身を識別する識別情報を記憶した記憶手段および該記憶手段に記憶された識別情報を送信する通信手段を有するＩＣチップの前記通信手段と通信を行い、前記記憶手段に記憶された識別情報を取得する識別情報取得手段と、
複数のマルチメディアデータを各種識別情報と対応づけて記憶したデータ記憶手段と、
前記マルチメディアデータを再生する少なくとも１つの再生手段と、
前記識別情報取得手段が取得した識別情報と対応づけられたマルチメディアデータを前記データ記憶手段から読み出して前記再生手段に再生する再生制御手段とを備えたことを特徴とするものである。
【０００６】
「マルチメディアデータ」とは、静止画像を表す静止画像データ、動画像を表す動画像データ、音声を表す音声データ、静止画像を音声とともにスライドショー形式にて表示可能なデータ等、再生することにより視覚および聴覚に訴えることができる各種データを意味する。なお、本発明において「画像データ」には、静止画像データ、動画像データおよびスライドショー形式にて表示可能なデータを含むものとする。
【０００７】
「再生手段」はマルチメディアデータの種類に応じたものを用いる。例えばマルチメディアデータが静止画像データ、動画像データおよびスライドショー形式のデータである場合、ＣＲＴ、液晶、有機ＥＬ等のディスプレイや、スクリーンへの投影装置さらにはこれらとスピーカとの組み合わせ等を用いる。マルチメディアデータが音声データの場合には、スピーカを用いればよい。
【０００８】
なお、本発明による式典用データ再生装置においては、前記データ記憶手段を、前記複数のマルチメディアデータと前記各種識別情報とを対応づけたデータベースを記憶してなるものとしてもよい。
【０００９】
また、本発明による式典用データ再生装置においては、前記マルチメディアデータを、葬儀または法要用のマルチメディアデータとしてもよい。
【００１０】
この場合、前記識別情報取得手段を、献物に設けられたＩＣチップから前記識別情報を取得する手段としてもよい。
【００１１】
「献物」とは、葬儀または法要の最中に奉献される物を意味する。具体的には、献花、献花に設けられるリボン等の飾り、ろうそくおよび線香等、式典への参列者が奉献する物を用いることができる。この場合、識別情報取得手段は、献物が置かれる台等に設置すればよい。また、葬儀の際には棺桶の中に献花する場合があるが、この場合には棺桶または棺桶を設置する台等に識別情報取得を設ければよい。
【００１２】
また、本発明による式典用データ再生装置においては、前記マルチメディアデータを、結婚式用のマルチメディアデータとしてもよい。
【００１３】
この場合、前記識別情報取得手段を、新郎新婦の携帯物に設けられてなり、披露宴会場内の各テーブルまたはテーブル上の設置物に設置されたＩＣチップもしくはテーブルに着席している参列者が所持するＩＣチップから前記識別情報を取得する手段としてもよい。
【００１４】
「携帯物」としては、キャンドルサービスの際に各テーブルに設置されたろうそくに点火するライター、プレゼントを配る際にプレゼントを入れるかご等、新郎新婦が各テーブルに挨拶に訪れる際に新郎新婦が携帯するあらゆる物を用いることができる。
【００１５】
「テーブル上の設置物」としては、キャンドルサービス時に点火されるろうそく、テーブル上の花や花瓶等、テーブル上に設置される任意の物を用いることができる。
【００１６】
本発明による式典用献物は、自身を識別する識別情報を記憶した記憶手段および該記憶手段に記憶された識別情報を送信する通信手段を有するＩＣチップが設けられてなることを特徴とするものである。
【００１７】
なお、本発明による式典用献物は、献花、献花の飾り、線香およびろうそくのいずれかであることが好ましい。
【００１８】
本発明による式典用データ再生方法は、自身を識別する識別情報を記憶した記憶手段および該記憶手段に記憶された識別情報を送信する通信手段を有するＩＣチップの前記通信手段と通信を行い、前記記憶手段に記憶された識別情報を取得し、
複数のマルチメディアデータを各種識別情報と対応づけて記憶したデータ記憶手段から、前記識別情報取得手段が取得した識別情報と対応づけられたマルチメディアデータを読み出して再生することを特徴とするものである。
【００１９】
なお、本発明による式典用データ再生方法をコンピュータに実行させるためのプログラムとして提供してもよい。
【発明の効果】
【００２０】
本発明によれば、ＩＣチップから識別情報が取得されると、この識別情報と対応づけられたマルチメディアデータが、複数のマルチメディアデータを各種識別情報と対応づけて記憶したデータ記憶手段から読み出されて再生される。このため、データ記憶手段に式典の参列者に応じた識別情報とマルチメディアデータとを対応づけて記憶しておき、参列者にその参列者に応じた識別情報を記憶したＩＣチップを渡しておく、あるいは参列者に近接して配置しておくことにより、参列者が識別情報取得手段が設置されている場所に近づく、あるいは識別情報取得手段を所持する者が参列者に近づくと、その参列者のＩＣチップから識別情報が取得され、その参列者と対応づけられたマルチメディアデータが再生されることとなる。したがって、マルチメディアデータを式典の参列者に応じた意味のある順序にて再生することができ、その結果、式典の演出効果をより高めることができる。
【００２１】
また、複数のマルチメディアデータと各種識別情報とを対応づけたデータベースを記憶しておくことにより、取得した識別情報に対応づけられたマルチメディアデータを容易に読み出すことができるため、より迅速にマルチメディアデータを再生することができる。
【００２２】
また、マルチメディアデータが葬儀または法要用のマルチメディアデータである場合において、献物にＩＣチップを設けておき、参列者が奉献する献物から識別情報を取得することにより、参列者が奉献を行う毎に再生されるマルチメディアデータが奉献中の参列者に応じて切り替わることとなるため、献物を奉献中の参列者にとって意味のあるマルチメディアデータを再生することができる。
【００２３】
また、マルチメディアデータが結婚式用のマルチメディアデータである場合において、識別情報取得手段を新郎新婦の携帯物に設け、ＩＣチップを披露宴会場内の各テーブルまたはテーブル上の設置物に設置する、もしくはテーブルに着席している参列者に所持させておくことにより、新郎新婦が異なるテーブルを訪れる毎に再生されるマルチメディアデータがテーブルに応じて切り替わることとなるため、そのテーブルに着席している参列者にとって意味のあるマルチメディアデータを再生することができる。
【発明を実施するための最良の形態】
【００２４】
以下、図面を参照して本発明の実施形態について説明する。図１は本発明の第１の実施形態による式典用データ再生装置を適用した結婚式用データ再生システムの構成を示す概略ブロック図である。図１に示すように本発明の第１の実施形態による結婚式用データ再生システム１は、新郎新婦が披露宴においてキャンドルサービスを行う際に使用するライター３０に設けられた、ＩＣチップと通信を行ってＩＣチップに記憶された識別情報を読み取るＩＣチップリーダ１０と、ＩＣチップリーダ１０と通信を行ってＩＣチップリーダ１０が読み取った識別情報を無線により受信する通信部１２と、静止画像を表す画像データ、動画像を表す動画像データおよび／または音声を表す音声データ等の複数のマルチメディアデータを各種識別情報と対応づけて記憶した大容量の記憶媒体からなる記憶部１４と、フイルムに記録された画像を読み取って画像データを取得するフイルムスキャナ１６と、写真プリントを読み取って画像データを取得するスキャナ１８と、画像データ、動画像データおよび／または音声データ等のマルチメディアデータを記憶したメモリカードからマルチメディアデータを読み出すカードリーダ２０と、後述するように第１の実施形態による結婚式用データ再生システム１の駆動を制御する再生制御部２２と、液晶モニタ、有機ＥＬ、プロジェクタ等からなる複数の再生部２４と、再生制御部２２に各種入力を行うキーボードおよびマウス等からなる入力部２６とを備える。
【００２５】
ＩＣチップリーダ１０は、披露宴会場の各テーブルに設置されたろうそく３２に埋め込まれたＩＣチップ３４が記憶する識別情報を非接触にて読み取る。
【００２６】
図２はＩＣチップの構成を示す概略ブロック図である。図２に示すようにＩＣチップ３４は、識別情報を記憶する記憶部３６と、識別情報を無線により出力するアンテナ等の通信部３８とを備える。
【００２７】
ＩＣチップリーダ１０は、ＩＣチップ３４の記憶部３６に記憶された識別情報を非接触にて読み取り、さらに読み取った識別情報を通信部１２に送信する。すなわち、新郎新婦がＩＣチップリーダ１０が設けられたライター３０を携帯して、披露宴の最中にキャンドルサービスのために各テーブルを訪れ、ライター３０によりろうそく３２に点火することにより、ＩＣチップリーダ１０とＩＣチップ３４とが近接し、ＩＣチップ３４の記憶部３６に記憶された識別情報が通信部３８を介してＩＣチップリーダ１０に非接触にて読み取られる。そして、ＩＣチップリーダ１０は、読み取った識別情報を通信部１２に送信する。
【００２８】
通信部１２は披露宴会場内に設置されてなり、新郎新婦が携帯するライター３０に設けられたＩＣチップリーダ１０が送信した識別情報を受信して再生制御部２２に出力する。
【００２９】
記憶部１４は、フイルムスキャナ１６、スキャナ１８およびカードリーダ２０から取得したマルチメディアデータを記憶する。なお、フイルムスキャナ１６およびスキャナ１８が取得した画像データもマルチメディアデータに含めるものとする。また、記憶部１４は、新郎新婦が披露宴の前にマルチメディアデータと識別情報とを対応づけることにより作成した対応づけデータベースＤＢ１を記憶する。
【００３０】
図３は対応づけデータベースＤＢ１の例を示す図である。図３に示すように対応づけデータベースＤＢ１は、００１，００２，…等の番号からなる識別情報と、マルチメディアデータのファイル名（001.jpg,002.jpg,001.mov,001.wav等）とが対応づけられている。
【００３１】
対応づけデータベースＤＢ１は、以下のように作成される。まず、新郎新婦が式場と打ち合わせをする際に、新郎新婦が披露宴において参列者に見せたい画像を記録したフイルムやプリントからの画像の読み取り、動画像データや音声データ等のマルチメディアデータを記憶したメモリカードからのマルチメディアデータの読み出しを式場のオペレータに依頼する。オペレータはフイルムスキャナ１６、スキャナ１８およびカードリーダ２０を用いてマルチメディアデータを取得してこれらを記憶部１４に記憶する。また、新郎新婦は参列者の席順を決める際に、親戚、高校時代の友人、大学時代の友人、会社の友人等に応じてテーブルを分類し、テーブル毎に識別情報を設定する。
【００３２】
そして、新郎新婦は、記憶部１４に記憶されたマルチメディアデータを再生しながら、新郎新婦とともに各テーブルに新郎新婦が訪れた際に、再生部２４において再生したいマルチメディアデータを選択する。例えば、識別情報が００１のテーブルを新郎の大学時代の友人のテーブルとした場合には、新郎の大学時代の画像、動画像および／または音声を表すマルチメディアデータを選択する。オペレータは、新郎新婦が選択した結果に応じて入力部２６からの入力により識別情報とマルチメディアデータとを対応づけて対応づけデータベースＤＢ１を作成し、記憶部１４に記憶する。
【００３３】
再生制御部２２は、通信部１２から識別情報が入力されると、記憶部１４に記憶された対応づけデータベースＤＢ１を参照して、その識別情報に対応するファイル名を有するマルチメディアデータを記憶部１４から読み出し、再生部２４に出力する。
【００３４】
次いで、第１の実施形態において行われる処理について説明する。図４は第１の実施形態において行われる処理を示すフローチャートである。なお、マルチメディアデータおよび対応づけデータベースＤＢ１は、記憶部１４に記憶されているものとする。また、披露宴会場には図５に示すように１１のテーブルおよび１つのひな壇が設置されており、各テーブルに設置されたろうそく３２には図５上の左上から右下までそれぞれ００１〜０１１の識別情報を記憶したＩＣチップ３４が埋め込まれており、ひな壇のろうそくには０１２の識別情報を記憶したＩＣチップ３４が埋め込まれているものとする。そして新郎新婦は例えば識別情報が００１のテーブルから識別情報の番号順にキャンドルサービスを行い、最後にひな壇に上がってひな壇上のろうそく３２に点火するものとする。
【００３５】
新郎新婦がＩＣチップリーダ１０が設けられたライター３０を携帯して、披露宴の最中に識別情報が００１のテーブルをキャンドルサービスのために訪れ、このテーブルに設置されたろうそく３２にライター３０により点火して、ＩＣチップ３４とＩＣチップリーダ１０とが近接することにより処理が開始され、ＩＣチップリーダ１０がＩＣチップ３４から非接触により識別情報を読み取る（ステップＳ１）。そして、ＩＣチップリーダ１０が読み取った識別情報を通信部１２に送信する（ステップＳ２）。
【００３６】
通信部１２が識別情報を受信すると再生制御部２２は、記憶部１４に記憶された対応づけデータベースＤＢ１を参照して、識別情報に対応するマルチメディアデータを記憶部１４から読み出す（ステップＳ３）。そして、読み出したマルチメディアデータを再生部２４において再生する（ステップＳ４）。
【００３７】
次いで、再生制御部２２は、別のＩＣチップ３４が出力した識別情報が通信部１２から入力されたか否かを判定し（ステップＳ５）、ステップＳ５が肯定されると、識別情報が０１２であるか否かを判定する（ステップＳ６）。ステップＳ５が肯定されると、入力された識別情報に対応するマルチメディアデータを記憶部１４から読み出すべくステップＳ３に戻り、ステップＳ３からステップＳ６の処理を繰り返す。
【００３８】
ステップＳ６が肯定されると、新郎新婦がひな壇上に移動したことから、再生部２４におけるマルチメディアデータの再生を停止し（ステップＳ７）、処理を終了する。
【００３９】
このように、第１の実施形態においては、ＩＣチップリーダ１０がＩＣチップ３４から識別情報を読み取って、通信部１２がこれを取得すると、再生制御部２２が対応づけデータベースＤＢ１を参照して識別情報と対応づけられたマルチメディアデータを読み出して再生部２４において再生するようにしたものである。このため、あらかじめ対応づけデータベースＤＢ１を作成しておき、テーブルに設置されたろうそく３２にそのテーブルに応じた識別情報を記憶したＩＣチップ３４を埋め込んでおけば、新郎新婦がライター３０を携帯してテーブルに近づくと、そのテーブルに応じた識別情報がＩＣチップリーダ１０により読み取られ、そのテーブルに着席している参列者と対応づけられたマルチメディアデータが再生部２４に再生されることとなる。したがって、マルチメディアデータを披露宴の参列者に応じた意味のある順序にて再生することができ、その結果、披露宴の演出効果をより高めることができる。
【００４０】
また、対応づけデータベースＤＢ１を作成しておくことにより、識別情報に対応づけられたマルチメディアデータを容易に記憶部１４から読み出すことができるため、より迅速にマルチメディアデータを再生することができる。
【００４１】
なお、上記第１の実施形態においては、ろうそく３２にＩＣチップ３４を埋め込んでいるが、ろうそく３２を設置する台やテーブルにＩＣチップ３４を設けておいてもよい。また、キャンドルサービス時に新郎新婦が近づく席に着席する参列者に前もってＩＣチップ３４を渡しておくようにしてもよい。
【００４２】
次いで、本発明の第２の実施形態について説明する。図６は本発明の第２の実施形態による式典用データ再生装置を適用した葬儀用データ再生システムの構成を示す概略ブロック図である。図６に示すように本発明の第２の実施形態による葬儀用データ再生システム３は、参列者が献花を行う献花台４０に設けられた、ＩＣチップと通信を行ってＩＣチップに記憶された識別情報を読み取るＩＣチップリーダ５０と、ＩＣチップリーダ５０と通信を行ってＩＣチップリーダ５０が読み取った識別情報を無線により受信する通信部５２と、複数のマルチメディアデータを各種識別情報と対応づけて記憶した大容量の記憶媒体からなる記憶部５４と、フイルムに記録された画像を読み取って画像データを取得するフイルムスキャナ５６と、写真プリントを読み取って画像データを取得するスキャナ５８と、画像データ、動画像データおよび／または音声データ等のマルチメディアデータを記憶したメモリカードからマルチメディアデータを読み出すカードリーダ６０と、後述するように第２の実施形態による葬儀用データ再生システム３の駆動を制御する再生制御部６２と、液晶モニタ、有機ＥＬ、プロジェクタ等からなる複数の再生部６４と、再生制御部６２に各種入力を行うキーボードおよびマウス等からなる入力部６６とを備える。
【００４３】
ＩＣチップリーダ５０は、図６に示すように葬儀の参列者が献花７０を奉献するための献花台４０に埋め込まれている。そして、図７（ａ）に示すように献花７０に埋め込まれたＩＣチップ７４が記憶する識別情報を非接触にて読み取る。なお、図７（ｂ）に示すように、献花７０をリボン７２により飾る場合にはリボン７２にＩＣチップ７４を付与するようにしてもよい。このように、リボン７２にＩＣチップ７４を付与することにより、ＩＣチップ７４を再利用することができる。
【００４４】
なお、ＩＣチップ７４は上記第１の実施形態のＩＣチップ３４と同一の構成を有する。
【００４５】
ＩＣチップリーダ５０は、ＩＣチップ７４の記憶部３６に記憶された識別情報を非接触にて読み取り、さらに読み取った識別情報を通信部５２に送信する。すなわち、葬儀の参列者が献花７０を献花台４０上に置くことにより、ＩＣチップリーダ５０とＩＣチップ７４とが近接し、ＩＣチップ７４の記憶部３６に記憶された識別情報が通信部３８を介してＩＣチップリーダ１５に非接触にて読み取られる。そして、ＩＣチップリーダ５０は、読み取った識別情報を通信部５２に送信する。
【００４６】
通信部５２は葬儀場内に設置されてなり、献花台４０に埋め込まれたＩＣチップリーダ５０が送信した識別情報を受信して再生制御部６２に出力する。なお、第２の実施形態においては、献花台４０は移動しないことから、献花台４０と再生制御部６２とを直接有線により接続するようにしてもよい。
【００４７】
記憶部５４は、フイルムスキャナ５６、スキャナ５８およびカードリーダ６０から取得した故人に関連するマルチメディアデータを記憶する。なお、フイルムスキャナ５６およびスキャナ５８が取得した画像データもマルチメディアデータに含めるものとする。また、記憶部５４は、故人が生前にマルチメディアデータと識別情報とを対応づけることにより作成した対応づけデータベースＤＢ２を記憶する。なお、対応づけデータベースＤＢ２は第１の実施形態における対応づけデータベースＤＢ１と同様に、００１，００２，…等の番号からなる識別情報と、マルチメディアデータのファイル名（001.jpg,002.jpg,001.mov,001.wav等）とが対応づけられているものとする。
【００４８】
対応づけデータベースＤＢ２は、以下のように作成される。まず、故人すなわち葬儀の依頼者が生前に葬儀場と打ち合わせをする際に、依頼者が自分の葬儀の参列者に見せたい画像を記録したフイルムやプリントからの画像の読み取り、動画像データや音声データ等のマルチメディアデータを記憶したメモリカードからのマルチメディアデータの読み出しを葬儀場のオペレータに依頼する。オペレータはフイルムスキャナ５６、スキャナ５８およびカードリーダ６０を用いてマルチメディアデータを取得してこれらを記憶部５４に記憶する。また、依頼者は妻、子供、兄弟、親戚、高校時代の友人、大学時代の友人、会社の友人等に応じて予想される参列者を分類し、参列者毎に識別情報を設定する。
【００４９】
そして、依頼者は、記憶部５４に記憶されたマルチメディアデータを再生しながら、葬儀の参列者が献花した際に、再生部６４において再生したいマルチメディアデータを選択する。例えば、００１の識別情報を妻と対応づけた場合には、結婚式の時の画像や家族旅行の時の画像、動画像および／または音声を表すマルチメディアデータを選択する。また、０１０の識別情報を大学時代の友人と対応づけた場合には、大学時代の画像、動画像および／または音声を表すマルチメディアデータを選択する。オペレータは、依頼者が選択した結果に応じて入力部６６からの入力により識別情報とマルチメディアデータとを対応づけて対応づけデータベースＤＢ２を作成し、記憶部５４に記憶する。なお、マルチメディアデータの選択は遺族が行うようにしてもよい。
【００５０】
再生制御部６２は、通信部５２から識別情報が入力されると、記憶部５４に記憶された対応づけデータベースＤＢ２を参照して、その識別情報に対応するファイル名を有するマルチメディアデータを記憶部５４から読み出し、再生部６４に出力する。
【００５１】
次いで、第２の実施形態において行われる処理について説明する。図８は第２の実施形態において行われる処理を示すフローチャートである。なお、マルチメディアデータおよび対応づけデータベースＤＢ２は、記憶部５４に記憶されているものとする。
【００５２】
葬儀の参列者が、ＩＣチップ７４が埋め込まれた献花７０を献花台４０に置き、ＩＣチップ７４とＩＣチップリーダ５０とが近接することにより処理が開始され、ＩＣチップリーダ５０がＩＣチップ７４から非接触により識別情報を読み取る（ステップＳ１１）。そして、ＩＣチップリーダ５０が読み取った識別情報を通信部５２に送信する（ステップＳ１２）。
【００５３】
通信部５２が識別情報を受信すると再生制御部６２は、記憶部５４に記憶された対応づけデータベースＤＢ２を参照して、識別情報に対応するマルチメディアデータを記憶部５４から読み出す（ステップＳ１３）。そして、読み出したマルチメディアデータを再生部６４において再生する（ステップＳ１４）。
【００５４】
次いで、再生制御部６２は、献花の時間が終了したために葬儀のオペレータにより入力部６６から再生停止の指示が入力されたか否かを判定する（ステップＳ１５）。ステップＳ１５が否定されると、別のＩＣチップ７４が出力した識別情報が通信部５２から入力されたか否かを判定し（ステップＳ１６）、ステップＳ１６が肯定されると、入力された識別情報に対応するマルチメディアデータを記憶部５４から読み出すべくステップＳ１３に戻り、ステップＳ１３からステップＳ１６の処理を繰り返す。
【００５５】
ステップＳ１５が否定されると、再生部６４におけるマルチメディアデータの再生を停止し（ステップＳ１７）、処理を終了する。
【００５６】
このように、第２の実施形態においては、識別情報とマルチメディアデータとを対応づけた対応づけデータベースＤＢ２をあらかじめ作成しておき、献花台４０に参列者が献花７０を置くと、献花７０に埋め込まれたＩＣチップ７４に記憶された識別情報に応じたマルチメディアデータを再生するようにしたため、参列者が献花７０を奉献する毎に参列者に応じたマルチメディアデータが再生されることとなる。したがって、マルチメディアデータを葬儀の参列者に応じた意味のある順序にて再生することができ、その結果、葬儀の演出効果をより高めることができる。
【００５７】
また、対応づけデータベースＤＢ２を作成しておくことにより、識別情報に対応づけられたマルチメディアデータを容易に記憶部５４から読み出すことができるため、より迅速にマルチメディアデータを再生することができる。
【００５８】
なお、上記第２の実施形態においては、献花７０にＩＣチップ７４を埋め込んでいるが、図９（ａ）に示すようにご焼香をするための線香にＩＣチップ７４を埋め込んでもよく、ろうそくにＩＣチップ７４を埋め込んでもよい。
【００５９】
また、葬儀においては棺桶の中に献花をする場合がある。このため、棺桶または棺桶を設置する台等の棺桶に近接して設置される物にＩＣチップリーダ５０を設置しておくようにしてもよい。
【００６０】
なお、上記第１および第２の実施形態においては、マルチメディアデータとして、画像データ、動画像データおよび／または音声データを用いているが、静止画像を音声とともにスライドショー形式にて表示可能なデータをマルチメディアデータとして用いてもよい。
【００６１】
また、上記第１および第２の実施形態においては、マルチメディアデータを再生部２４，６４に再生しているが識別情報毎に対応づけられた静止画像データを用いてフォトモザイク処理を行い、フォトモニュメントして静止画像データを再生してもよい。
【００６２】
以上、本発明の第１および第２の実施形態に係るシステム１，３について説明したが、コンピュータを、上記の通信部１２，５２、記憶部１４，５４、および再生制御部２２，６２として機能させ、図４および図８に示すような処理を行わせるプログラムも、本発明の実施形態の１つである。また、そのようなプログラムを記録したコンピュータ読み取り可能な記録媒体も、本発明の実施形態の１つである。これらの場合において、対応づけデータベースＤＢ１，ＤＢ２は、プログラム内あるいは同一の記録媒体内に含まれているものであってもよいし、外部の装置や別個の媒体から提供されるものであってもよい。
【図面の簡単な説明】
【００６３】
【図１】本発明の第１の実施形態による式典用データ再生装置を適用した結婚式用データ再生システムの構成を示す概略ブロック図
【図２】ＩＣチップの構成を示す概略ブロック図
【図３】対応づけデータベースの例を示す図
【図４】第１の実施形態において行われる処理を示すフローチャート
【図５】披露宴会場におけるテーブルおよびひな壇の設置の例を示す図
【図６】本発明の第２の実施形態による式典用データ再生装置を適用した結婚式用データ再生システムの構成を示す概略ブロック図
【図７】献花にＩＣチップを付与する態様を示す図
【図８】第２の実施形態において行われる処理を示すフローチャート
【図９】線香およびろうそくにＩＣチップを付与する態様を示す図
【符号の説明】
【００６４】
１    結婚式用データ再生システム
３    葬儀用データ再生システム
１０，５０  ＩＣチップリーダ
１２，５２  通信部
１４，５４  記憶部
１６，５６  フイルムスキャナ
１８，５８  スキャナ
２０，６０  カードリーダ
２２，６２  再生制御部
２４，６４  再生部
２６，６６  入力部
３０  ライター
３２  ろうそく
３４，７４  ＩＣチップ
【図１】
2005269370.tif 000003
【図２】
2005269370.tif 000004
【図３】
2005269370.tif 000005
【図４】
2005269370.tif 000006
【図５】
2005269370.tif 000007
【図６】
2005269370.tif 000008
【図７】
2005269370.tif 000009
【図８】
2005269370.tif 000010
【図９】
2005269370.tif 000011